(57)【要約】【課題】端末装置が対応するシステムに係わらず、遅延を抑えて緊急速報を端末装置に配信することができる。【解決手段】配信装置は、第１のメッセージ生成部と第２のメッセージ生成部とを備える。第１のメッセージ生成部は、受信した書換用メッセージに付与されている第１の識別子を用いて第１のメッセージを生成する。第２のメッセージ生成部は、第１の識別子と第２のメッセージとの対応関係に基づいて書換用メッセージに付与されている第１の識別子に対応付けられる第２のメッセージを生成する。配信装置は、第１のメッセージと第２のメッセージとを１以上の端末装置に送信する。【選択図】図８
2018182674.tif 000002
【特許請求の範囲】
【請求項１】
受信した書換用メッセージに付与されている第１の識別子を用いて第１のメッセージを生成する第１のメッセージ生成部と、
第１の識別子と第２のメッセージとの対応関係に基づいて前記書換用メッセージに付与されている第１の識別子に対応付けられる第２のメッセージを生成する第２のメッセージ生成部と、
を備える配信装置であって、
前記第１のメッセージと前記第２のメッセージとを１以上の端末装置に送信する、
ことを特徴とする配信装置。
【請求項２】
前記第１のメッセージは地震津波警報システムに対応するメッセージであり、前記第２のメッセージは商用携帯警報システムに対応するメッセージであることを特徴とする請求項１に記載の配信装置。
【請求項３】
前記第１のメッセージは商用携帯警報システムに対応するメッセージであり、前記第２のメッセージは地震津波警報システムに対応するメッセージであることを特徴とする請求項１に記載の配信装置。
【請求項４】
前記配信装置は基地局であることを特徴とする請求項１から３のいずれか1項に記載の配信装置。
【請求項５】
サーバからの情報を受信する上位装置と、１以上の端末装置と通信可能な配信装置とを備える配信システムであって、
前記上位装置は、
前記サーバからの情報に基づいて書換用メッセージを作成し、該作成した書換用メッセージを前記配信装置に送信し、
前記配信装置は、
前記上位装置から受信した書換用メッセージに付与されている第１の識別子を用いて第１のメッセージを生成し、
第１の識別子と第２のメッセージとの対応関係に基づいて前記書換用メッセージに付与されている第１の識別子に対応付けられる第２のメッセージを生成し、
前記第１のメッセージと前記第２のメッセージとを前記１以上の端末装置に送信する、
ことを特徴とする配信システム。
【請求項６】
前記配信システムは、さらに前記配信装置に接続される管理装置を備え、
前記管理装置は、
前記配信装置に対し前記対応関係を更新するよう指示し、
前記配信装置は、
前記管理装置からの指示に基づいて前記対応関係を更新し、
更新した対応関係に基づいて前記書換用メッセージに付与されている第１の識別子に対応付けられる第２のメッセージを生成する、
ことを特徴とする請求項５に記載の配信システム。
【請求項７】
前記第１のメッセージは地震津波警報システムに対応するメッセージであり、前記第２のメッセージは商用携帯警報システムに対応するメッセージであることを特徴とする請求項５または６に記載の配信システム。
【請求項８】
前記第１のメッセージは商用携帯警報システムに対応するメッセージであり、前記第２のメッセージは地震津波警報システムに対応するメッセージであることを特徴とする請求項５または６に記載の配信システム。
【請求項９】
前記配信装置は基地局であることを特徴とする請求項５から８のいずれか1項に記載の配信システム。
【請求項１０】
サーバからの情報を受信する上位装置と、１以上の端末装置と通信可能な配信装置とを備える配信システムにおいて実行される配信方法であって、
前記サーバからの情報に基づいて書換用メッセージを作成し、該作成した書換用メッセージを前記配信装置に送信する、
処理を上位装置が実行し、
前記上位装置から受信した書換用メッセージに付与されている第１の識別子に基づいて第１のメッセージを生成し、
第１の識別子と第２のメッセージとの対応関係に基づいて前記書換用メッセージに付与されている第１の識別子に対応付けられる第２のメッセージを生成し、
前記第１のメッセージと前記第２のメッセージとを前記１以上の端末装置に送信する、
処理を配信装置が実行することを特徴とする配信方法。
【発明の詳細な説明】
【技術分野】
【０００１】
本発明は、配信装置、配信システム、および配信方法に関する。
【背景技術】
【０００２】
従来、災害時などの緊急速報を伝送するためのシステムとしてＰＷＳ（Ｐｕｂｌｉｃ  Ｗａｒｎｉｎｇ  Ｓｙｓｔｅｍ）が知られている。ＰＷＳには、警報の種別等に応じ、複数のサブシステムが存在する。そのサブシステムの１つは、ＥＴＷＳ（Ｅａｒｔｈｑｕａｋｅ  ａｎｄ  Ｔｓｕｎａｍｉ  Ｗａｒｎｉｎｇ  Ｓｙｓｔｅｍ、地震津波警報システム）である。また別の１つは、ＣＭＡＳ（Ｃｏｍｍｅｒｃｉａｌ  Ｍｏｂｉｌｅ  Ａｌｅｒｔ  Ｓｙｓｔｅｍ、商用携帯警報システム）である。
【０００３】
ＥＴＷＳは、地震や津波など緊急性の高い情報を端末装置へ配信するシステムである。一方、ＣＭＡＳは、集中豪雨警報のようなある程度の時間的猶予が認められる情報を端末装置へ配信するシステムである。一般的に、日本においてはＥＴＷＳが用いられ、海外(アメリカ、ＥＵ、韓国など)においてはＣＭＡＳが用いられている。
【０００４】
ＥＴＷＳまたはＣＭＡＳによる緊急速報を、ＵＥ（Ｕｓｅｒ  Ｅｑｕｉｐｍｅｎｔ、移動体端末装置）等の端末装置で受信するためには、当該端末装置が各システムに対応していなければならない。例えば日本においては、ＥＴＷＳに対応したＵＥを所持している人に対しては緊急速報を通知できるが、ＣＭＡＳに対応したＵＥを所持している人に対しては緊急速報を通知できないおそれがある。そこで、両方のシステムの各々に対応する端末装置を保持する人々に緊急速報を届けるため、ＥＴＷＳに対応したメッセージとＣＭＡＳに対応したメッセージの両方が送信される。
【０００５】
図１は、従来技術においてＥＴＷＳに対応するメッセージとＣＭＡＳに対応するメッセージの両方が送信される場合のシーケンス図である。まずＣＢＣ（Ｃｅｌｌ  Ｂｒｏａｄｃａｓｔ  Ｃｅｎｔｅｒ）は、緊急情報配信要求（配信要求とも呼ぶ）を気象庁サーバから受信する。続いてＣＢＣは、本配信要求に含まれる情報を用いてＷＲＷＲ（Ｗｒｉｔｅ  Ｒｅｐｌａｃｅ  Ｗａｒｎｉｎｇ  Ｒｅｑｕｅｓｔ）メッセージを作成する。このときＣＢＣは、メッセージＩＤ（Ｍｅｓｓａｇｅ  Ｉｄｅｎｔｉｆｉｅｒ）をＷＲＷＲメッセージに付与する。このメッセージＩＤは、ＷＲＷＲメッセージがＥＴＷＳに対応する端末装置に対するメッセージか、ＣＭＡＳに対応する端末装置に対するメッセージかを示す。ＣＢＣは、作成したＷＲＷＲメッセージをＭＭＥ（Ｍｏｂｉｌｉｔｙ  Ｍａｎａｇｅｍｅｎｔ  Ｅｎｔｉｔｙ）に送信する。
【０００６】
ＷＲＷＲメッセージを受信したＭＭＥは、配下のｅＮＢ(ｅｖｏｌｖｅｄ  Ｎｏｄｅ  Ｂ、基地局)へＷＲＷＲメッセージを転送する。
【０００７】
ｅＮＢは、ＥＴＷＳに対応するメッセージＩＤを付されたＷＲＷＲメッセージとＣＭＡＳに対応するメッセージＩＤを付されたＷＲＷＲメッセージとをＭＭＥから受信し、これらの各々に対応するメッセージを配下の端末装置にブロードキャスト配信する。
【先行技術文献】
【特許文献】
【０００８】
【特許文献１】国際公開第２０１５／１１８６４８号
【発明の概要】
【発明が解決しようとする課題】
【０００９】
システムに係わらず、より多くの人々に緊急速報を届けるためには、ＥＴＷＳ用メッセージとＣＭＡＳ用メッセージの両方がブロードキャスト配信されなければならない。従来、ｅＮＢへは、ＥＴＷＳ用メッセージＩＤが付されたＷＲＷＲメッセージとＣＭＡＳ用メッセージＩＤが付されたＷＲＷＲメッセージが送信されていた。これによりｅＮＢまでの伝送路におけるシグナリング数が多くなる。そしてこれにより伝送遅延が発生するという問題があった。
【課題を解決するための手段】
【００１０】
本発明の一つの態様に係る配信装置は、第１のメッセージ生成部と第２のメッセージ生成部とを備える。第１のメッセージ生成部は、受信した書換用メッセージに付与されている第１の識別子を用いて第１のメッセージを生成する。第２のメッセージ生成部は、第１の識別子と第２のメッセージとの対応関係に基づいて書換用メッセージに付与されている第１の識別子に対応付けられる第２のメッセージを生成する。配信装置は、第１のメッセージと第２のメッセージとを１以上の端末装置に送信する。
【発明の効果】
【００１１】
端末装置が対応するシステムに係わらず、遅延を抑えて緊急速報を端末装置に配信することができる。
【図面の簡単な説明】
【００１２】
【図１】従来技術におけるＥＴＷＳに対応するメッセージとＣＭＡＳに対応するメッセージの両方が送信される場合のシーケンス図である。
【図２】メッセージＩＤの例を示す図である。
【図３】ＷＲＷＲメッセージに含まれるパラメータの一例を示す図である。
【図４】ＳＩＢ１０に載せ換えられたＥＴＷＳ用メッセージが含むパラメータを示す図である。
【図５】ＳＩＢ１１に載せ換えられたＥＴＷＳ用メッセージが含むパラメータを示す図である。
【図６】ＳＩＢ１２に載せ換えられたＣＭＡＳ用メッセージが含むパラメータを示す図である。
【図７】第１、２の実施形態の一例に係る配信システムのシステム構成を示す図である。
【図８】第１、３の実施形態の一例に係る配信システムにおけるシーケンスの一例を示す図である。
【図９】第１、３の実施形態の一例に係る配信装置による、緊急速報配信の際に行われる第１、２のメッセージの作成処理の一例の概要を示す図である。
【図１０】第１、３の実施形態に係る対応情報の一例を示す図である。
【図１１】第１の実施形態の一例に係る配信装置の機能ブロック図である
【図１２】第１、３の実施形態の一例に係る配信装置において実行される処理のフローの一例を示す図である。
【図１３】第１、２、３の実施形態に係る配信装置のハードウェア構成の一例を示す図である
【図１４】第２の実施形態の一例に係る配信システムにおけるシーケンスの一例を示す図である。
【図１５】第２の実施形態の一例に係る配信装置による、緊急速報配信の際に行われる第１、２のメッセージの作成処理の一例の概要を示す図である。
【図１６】第２の実施形態に係る対応情報の一例を示す図である。
【図１７】第２の実施形態の一例に係る配信装置の機能ブロック図である
【図１８】第２の実施形態の一例に係る配信装置において実行される処理のフローの一例を示す図である。
【図１９】第３の実施形態の一例に係る配信システムのシステム構成を示す図である。
【図２０】第３の実施形態の一例に係る管理装置と配信装置による、対応情報の更新の際のシーケンスの一例を示す図である。
【図２１】第３の実施形態の一例に係る管理装置の機能ブロック図である。
【図２２】第３の実施形態の一例に係る配信装置の機能ブロック図である。
【図２３】第３の実施形態の一例に係る管理装置と配信装置によって実行される処理のフローの一例を示す図である。
【図２４】第３の実施形態に係る管理装置のハードウェア構成の一例を示す図である。
【発明を実施するための形態】
【００１３】
ＣＢＣが作成するＷＲＷＲメッセージ（書換用メッセージとも称する）について説明する。ＷＲＷＲメッセージには、ＣＢＣによりメッセージＩＤ（Ｍｅｓｓａｇｅ  Ｉｄｅｎｔｉｆｉｅｒ）が付与される。このメッセージＩＤは、ＷＲＷＲメッセージがＥＴＷＳに対応する端末装置に対するメッセージか、ＣＭＡＳに対応する端末装置に対するメッセージかを示す。なお、このメッセージＩＤは、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において規定されているものである。
【００１４】
図２には、このメッセージＩＤの例が示される。図２に示すように、ＷＲＷＲメッセージがＥＴＷＳに対応するものである場合、このＷＲＷＲメッセージに付与するメッセージＩＤの値は４３５２から４３５９までの自然数である。このメッセージＩＤを、ＥＴＷＳ用メッセージＩＤとも称する。一方、ＷＲＷＲメッセージがＣＭＡＳに対応するものである場合、当該ＷＲＷＲメッセージにおけるメッセージＩＤの値は、４３７０から４３９９までの自然数である。このメッセージＩＤを、ＣＭＡＳ用メッセージＩＤとも称する。
【００１５】
図３に、ＷＲＷＲメッセージに含まれるパラメータの一例を示す。上述したメッセージＩＤは、ＷＲＷＲメッセージのパラメータの１つである。当該メッセージＩＤの値は、ＷＲＷＲメッセージにおける他のパラメータの値を一意的に決定する。ＷＲＷＲメッセージにおけるパラメータには、他にも津波や大雨等を示す「災害の種別（Ｗａｒｎｉｎｇ  Ｔｙｐｅ）」や、災害の種別に応じた「メッセージ内容（Ｗａｒｎｉｎｇ  Ｍｅｓｓａｇｅ  Ｃｏｎｔｅｎｔｓ）」がある。
【００１６】
なお、ＷＲＷＲメッセージがＥＴＷＳに対応する場合のメッセージ内容をＥＴＷＳ用メッセージ内容とも称し、ＷＲＷＲメッセージがＣＭＡＳに対応する場合のメッセージ内容をＣＭＡＳ用メッセージ内容とも称するものとする。
【００１７】
次にｅＮＢにより配下の端末装置に配信されるメッセージについて説明する。ＣＢＣからＭＭＥを経由してＷＲＷＲメッセージを受信したｅＮＢは、メッセージＩＤを参照し、当該メッセージＩＤがＥＴＷＳ用メッセージＩＤであるかＣＭＡＳ用メッセージＩＤであるかを判定する。
【００１８】
ＷＲＷＲメッセージのメッセージＩＤがＥＴＷＳ用メッセージＩＤである場合、ｅＮＢは図３に示されるＷＲＷＲメッセージのメッセージＩＤ、災害の種別、メッセージ内容の各値を抽出する。そしてｅＮＢは、これらの抽出したものから、メッセージＩＤと災害の種別の各値を含むメッセージと、メッセージＩＤとメッセージ内容の各値を含むメッセージを構築する。これらのメッセージをＥＴＷＳ用メッセージとも称する。ｅＮＢは、メッセージＩＤと災害の種別の各値を含むＥＴＷＳ用メッセージをＳＩＢ（Ｓｙｓｔｅｍ  Ｉｎｆｏｒｍａｔｉｏｎ  Ｂｌｏｃｋ）１０に載せ換える。図４には、ＳＩＢ１０に載せ換えられたＥＴＷＳ用メッセージが含むパラメータが示される。図４に示すように、このＥＴＷＳ用メッセージのパラメータの中に図３に示した「メッセージＩＤ」と「災害の種別」があることがわかる。
【００１９】
ｅＮＢはまた、メッセージＩＤとメッセージ内容の各値を含むＥＴＷＳ用メッセージをＳＩＢ１１に載せ換える。図５には、ＳＩＢ１１に載せ換えられたＥＴＷＳ用メッセージが含むパラメータが示される。図５に示すように、このＥＴＷＳ用メッセージのパラメータの中に図３に示した「メッセージＩＤ」と、「メッセージ内容（Ｗａｒｎｉｎｇ  Ｍｅｓｓｓａｇｅ  Ｓｅｇｍｅｎｔ）」があることがわかる。この「メッセージ内容（Ｗａｒｎｉｎｇ  Ｍｅｓｓｓａｇｅ  Ｓｅｇｍｅｎｔ）」の値は、ＳＩＢ１１に載せ換えることにより、ＷＲＷＲメッセージのパラメータ「メッセージ内容（Ｗａｒｎｉｎｇ  Ｍｅｓｓａｇｅ  Ｃｏｎｔｅｎｔｓ）」の値を分割した値となる。
【００２０】
一方、ｅＮＢは、ＷＲＷＲメッセージのメッセージＩＤがＣＭＡＳ用メッセージＩＤである場合、ＷＲＷＲメッセージのメッセージＩＤ、メッセージ内容の各値を抽出する。そしてｅＮＢは、メッセージＩＤとメッセージ内容の各値を含むメッセージを構築する。このメッセージをＣＭＡＳ用メッセージとも称する。ｅＮＢは、ＣＭＡＳ用メッセージをＳＩＢ１２に載せ換える。図６には、ＳＩＢ１２に載せ換えられたＣＭＡＳ用メッセージが含むパラメータが示される。図６に示すように、このＣＭＡＳ用メッセージのパラメータの中に図３に示した「メッセージＩＤ」と、「メッセージ内容（Ｗａｒｎｉｎｇ  Ｍｅｓｓｓａｇｅ  Ｓｅｇｍｅｎｔ）」があることがわかる。この「メッセージ内容（Ｗａｒｎｉｎｇ  Ｍｅｓｓｓａｇｅ  Ｓｅｇｍｅｎｔ）」は、ＳＩＢ１２に載せ換えることによりＷＲＷＲメッセージのパラメータ「メッセージ内容（Ｗａｒｎｉｎｇ  Ｍｅｓｓａｇｅ  Ｃｏｎｔｅｎｔｓ）」の値を分割した値となる。
【００２１】
（第１の実施形態）
図７は、本実施形態の一例に係る配信システム１のシステム構成を示す図である。図７に示されるように本実施形態の一例に係る配信システム１は、サーバと通信するＣＢＣ１０、ＣＢＣ１０と接続される１以上のＭＭＥ１１、およびＭＭＥ１１と接続され端末装置（ＵＥ等）に情報を配信（送信）する１以上のｅＮＢ１２を備える。本実施形態の一例では、ＣＢＣ１０が通信するサーバは、気象庁サーバであるものとする。ただしこれに限定されない。また本実施形態の一例における端末装置はＵＥであるものとして以下説明を行うが、端末装置はこれに限定されない。
【００２２】
ここで、端末装置に対し、情報を配信する装置を配信装置と呼ぶものとすると、本実施形態の一例では、配信装置はｅＮＢ１２に対応する。ただしこれに限定されない。
【００２３】
配信システム１に係るＣＢＣ１０とＭＭＥ１１は、以下において特に断らない限り、それぞれ既存のＣＢＣとＭＭＥである。
【００２４】
図８は、本実施形態の一例に係る配信システム１におけるシーケンスの一例を表す図である。
【００２５】
ＣＢＣ１０は、気象庁サーバから緊急情報配信要求を受信すると（ステップＳ１０００）、本配信要求の内容に対応するメッセージＩＤを付与したＷＲＷＲメッセージ（書換用メッセージ）を作成する。本実施形態では、ＣＢＣ１０が作成するＷＲＷＲメッセージに付与されるメッセージＩＤは、ＥＴＷＳ用メッセージＩＤ（４３５２〜４３５９）であるものとする（ステップＳ１００１）。
【００２６】
本実施形態と以下の実施形態に係るＣＢＣ１０は、気象庁サーバからの配信要求の内容に対応するメッセージＩＤを記憶しているものとする。そしてこれにより、ＣＢＣ１０は配信要求の内容に対応するメッセージＩＤを導出し、これを付与したＷＲＷＲメッセージを作成する。
【００２７】
なおＣＢＣ１０は、配信要求の内容によらず一定のメッセージＩＤをＷＲＷＲメッセージに付与するようにしてもよい。例えば、ＣＢＣ１０は、ＥＴＷＳ用メッセージＩＤを付与したＷＲＷＲメッセージを作成し、ＣＭＡＳ用メッセージＩＤを付与したＷＲＷＲメッセージを作成しないものとしてもよい。
【００２８】
ＣＢＣ１０は作成したＷＲＷＲメッセージをＭＭＥ１１に送信する（ステップＳ１００２）。
【００２９】
ここで、ＷＲＷＲメッセージのパラメータにおいて、その値が決まれば他の各パラメータの値が一意的に決まるパラメータを第１の識別子とする。上述したようにＷＲＷＲメッセージにおいてメッセージＩＤの値が一意的に決まれば、ＷＲＷＲメッセージの他のパラメータの値が一意的に決まることから、以下では第１の識別子をメッセージＩＤとする。ただし、メッセージＩＤ以外のパラメータであって、その値が決まれば他の各パラメータの値が一意的に決まるものがあれば、当該パラメータを第１の識別子としてもよい。
【００３０】
ＭＭＥ１１は、ＷＲＷＲメッセージをＣＢＣ１０より受信すると、これに対する応答（Ｗｒｉｔｅ  Ｒｅｐｌａｃｅ  Ｗａｒｎｉｎｇ  Ｒｅｓｐｏｎｓｅ、ＷＲＷＲ応答とも称する）をＣＢＣ１０に送信する（ステップＳ１００３）。
【００３１】
ＣＢＣ１０は、ステップＳ１００３によりＭＭＥ１１からＷＲＷＲ応答を受信すると、気象庁サーバに対し緊急情報配信応答を返す（ステップＳ１００４）。
【００３２】
ＭＭＥ１１は、ＣＢＣ１０から受信したＷＲＷＲメッセージを配下のｅＮＢ１２へと転送する（ステップＳ１００５）。
【００３３】
なお、ステップＳ１００３の処理とステップＳ１００５の処理は、順序が逆に行われても、並行して行われてもよい。
【００３４】
以下では、ＷＲＷＲメッセージを作成する装置、または配信装置（本実施形態の一例ではｅＮＢ１２）に対しＷＲＷＲメッセージを送信する装置を上位装置とも称する。本実施形態の一例においては、ＣＢＣ１０またはＭＭＥ１１が上位装置に対応する。
【００３５】
ｅＮＢ１２は、ＷＲＷＲメッセージを受信すると、ＷＲＷＲメッセージに含まれるＥＴＷＳ用メッセージＩＤから、当該ＷＲＷＲメッセージがＥＴＷＳに対応するメッセージであると判定する（ステップＳ１００６）。そしてｅＮＢ１２は、図３に例示されるＷＲＷＲメッセージのメッセージＩＤ、災害の種別、メッセージ内容の各値を抽出する。続いてｅＮＢ１２は、抽出したメッセージＩＤ等の各値から、メッセージＩＤと災害の種別の各値を含むＥＴＷＳ用メッセージと、メッセージＩＤとメッセージ内容の各値を含むＥＴＷＳ用メッセージを構築する。
【００３６】
ｅＮＢ１２は、構築したＥＴＷＳ用メッセージの各々をＳＩＢ１０、ＳＩＢ１１に載せ換え、ページングを行って自局配下のＵＥにブロードキャスト配信する（ステップＳ１００７）。
【００３７】
ＥＴＷＳに対応するＵＥは、ステップＳ１００７によって、ＳＩＢ１０、１１に載せ換えられたＥＴＷＳ用メッセージを受け付け、緊急情報の通知を受ける（ステップＳ１００８）。
【００３８】
ここで、本実施形態と以下の実施形態に係るｅＮＢ１２（１３、１４）において第１の識別子を元に従来と同様な処理により構築されるメッセージを、第１のメッセージとも称する。本実施形態の一例では第１のメッセージはＥＴＷＳ用メッセージである。
【００３９】
本実施形態と以下の実施形態の例に係るｅＮＢ１２（１３、１４）は、第１の識別子に対応するシステム（本実施形態の一例ではＥＴＷＳ）以外のシステム（本実施形態の一例ではＣＭＡＳ）に対応するメッセージを生成し、ＵＥに配信する。この際に生成されるメッセージを第２のメッセージとも称する。本実施形態の一例では、当該第２のメッセージは、ＣＭＡＳ用メッセージである。
【００４０】
本実施形態の一例に係るｅＮＢ１２は、後述する処理により、第２のメッセージであるＣＭＡＳ用メッセージを生成する（ステップＳ１００９）。そしてｅＮＢ１２は、ページングを行ってから生成したＣＭＡＳ用メッセージをＵＥにブロードキャスト配信する（ステップＳ１０１０）。
【００４１】
なお、ステップＳ１００７の処理と、ステップＳ１００９およびステップＳ１０１０の処理は、順序が逆に行われても、並行して行われてもよい。
【００４２】
ＣＭＡＳに対応するＵＥは、ステップＳ１０１０によって、ＣＭＡＳ用メッセージを受け付け、緊急情報の通知を受ける（ステップＳ１０１１）。
【００４３】
ステップＳ１０１０の処理の後、ｅＮＢ１２は、ＷＲＷＲ応答をＭＭＥ１１に送信する（ステップＳ１０１２）。
【００４４】
ｅＮＢ１２は、第２のメッセージの生成のために、第１の識別子と第２のメッセージとの対応関係に係る情報（以下、対応情報とも称する）を記憶する。この対応情報は、例えば第１の識別子の各値に対応付けられた第２のメッセージのパラメータの値に係る情報である。
【００４５】
ｅＮＢ１２は、当該対応情報に基づいてＭＭＥ１１から受信したＷＲＷＲメッセージにおける第１の識別子に対応する第２のメッセージを生成する。本実施形態の一例では、ｅＮＢ１２は、当該対応情報に基づいてＭＭＥ１１から受信したＷＲＷＲメッセージにおけるＥＴＷＳ用メッセージＩＤに対応するＣＭＡＳ用メッセージを生成する。
【００４６】
図９は、緊急速報配信の際に行われる、本実施形態の一例に係るｅＮＢ１２による第１、２のメッセージの作成処理の一例の概要を示す図である。図９の「（１）ＥＴＷＳ対応のメッセージの作成」にあるように、ＭＭＥ１１からＷＲＷＲメッセージを受信したｅＮＢ１２は、ＷＲＷＲメッセージのメッセージＩＤ、災害の種別、およびメッセージ内容のパラメータ（図３）の各値を抽出する。そしてｅＮＢ１２は、抽出したメッセージＩＤと災害の種別の各値を挿入したＥＴＷＳ用メッセージと、抽出したメッセージＩＤとメッセージ内容の各値を挿入したＥＴＷＳ用メッセージを構築する。続いてｅＮＢ１２は、メッセージＩＤと災害の種別の各値を含むＥＴＷＳ用メッセージをＳＩＢ１０に載せ換える。またｅＮＢ１２は、メッセージＩＤとメッセージ内容の各値を含むＥＴＷＳ用メッセージをＳＩＢ１１に載せ換える。
【００４７】
ｅＮＢ１２による第２のメッセージ（本実施形態ではＣＭＡＳ用メッセージ）の作成処理について、図９の「（２）ＣＭＡＳ対応のメッセージの作成」と図１０を参照して説明する。ｅＮＢ１２は、上述したように第１の識別子と第２のメッセージとの対応関係に係る対応情報を記憶している。本実施形態に係るｅＮＢ１２は、図１０に一例が示される対応情報を記憶している。図１０に示す対応情報は、テーブル形式のものであり、ＥＴＷＳ用メッセージＩＤの値と、これに対応付けられたＣＭＡＳ用メッセージＩＤとメッセージ内容の各値が、行毎に記録される。なお、対応情報は、第１の識別子の各値とそれに対応する第２のメッセージ（第２のメッセージが含むパラメータの値）とが関係付けされたものであればテーブル形式に限定されない。
【００４８】
図１０について具体的に説明を行うと、ＥＴＷＳ用メッセージＩＤの値が「ＸＸＸＸ」である場合に、これに対応するＣＭＡＳ用メッセージＩＤとメッセージ内容の各値は、それぞれ「ｘｘｘｘ」、「ＣＭＡＳ用メッセージ内容１」である。図では理解容易の為に、例えばメッセージ内容の値を「ＣＭＡＳ用メッセージ内容Ｎ（Ｎは自然数）」として表しているが、実際のメッセージ内容の値は数値等である。
【００４９】
図９の「（２）ＣＭＡＳ対応のメッセージの作成」を再度参照すると、ｅＮＢ１２は、受信したＷＲＷＲメッセージから第１の識別子（本実施形態ではＥＴＷＳ用メッセージＩＤ）の値を抽出する。そしてｅＮＢ１２は、図１０に一例が示される対応情報を参照し、抽出した第１の識別子（ＥＴＷＳ用メッセージＩＤ）の値に対応する第２のメッセージのパラメータの値（ＣＭＡＳ用メッセージＩＤとＣＭＡＳ用メッセージ内容の各値）を導出する。そしてｅＮＢ１２は、導出したこれらの値を挿入したＣＭＡＳ用メッセージを生成する。
【００５０】
例えば抽出されたＥＴＷＳ用メッセージＩＤの値が図１０における「ＸＸＸＸ」のときには、ＣＭＡＳ用メッセージＩＤ「ｘｘｘｘ」、メッセージ内容「ＣＭＡＳ用メッセージ内容１」が挿入されたＣＭＡＳ用メッセージが生成される。
【００５１】
なお、本実施形態においてＣＭＡＳ用メッセージ生成の処理は、後述するＣＭＡＳ用メッセージ生成部３１により行われる。
生成されたＣＭＡＳ用メッセージはＳＩＢ１２に載せ換えられる。
【００５２】
図１１は、本実施形態の一例に係るｅＮＢ１２の機能ブロック図である。ｅＮＢ１２は、ＩＰ（Ｉｎｔｅｒｎｅｔ  Ｐｒｏｔｏｃｏｌ）パケット処理部２０、およびＳ１ＡＰ（Ｓ１  Ａｐｐｌｉｃａｔｉｏｎ  Ｐｒｏｔｏｃｏｌ）処理部２１を備える。またｅＮＢ１２は、ＲＲＣ（Ｒａｄｉｏ  Ｒｅｓｏｕｒｃｅ  Ｃｏｎｔｒｏｌ）処理部２２、Ｂａｓｅｂａｎｄ処理部２３、およびＲＦ（Ｒａｄｉｏ  Ｆｒｅｑｕｅｎｃｙ）処理部２４等を備える。
【００５３】
ＲＲＣ処理部２２は、ＥＴＷＳ用メッセージ構築部３０、ＣＭＡＳ用メッセージ生成部３１、およびＳＩＢ生成部３２等を備える。
【００５４】
ＩＰパケット処理部２０は、ＩＰパケットの送信と受信に関する処理を行う。本実施形態ではＩＰパケット処理部２０は、ＭＭＥ１１からＩＰパケット形式のＷＲＷＲメッセージの受信処理を行う。
【００５５】
Ｓ１ＡＰ処理部２１は、Ｓ１ＡＰメッセージの送信と受信に関する処理を行う。詳細にはＳ１ＡＰ処理部２１は、上位装置から受信したＷＲＷＲメッセージに含まれるメッセージＩＤを参照し、当該メッセージＩＤがＥＴＷＳ用メッセージＩＤか、ＣＭＡＳ用メッセージＩＤか、またはそれら以外かを判定する。そしてＷＲＷＲメッセージがＥＴＷＳとＣＭＡＳのいずれかに対応するものである場合には、Ｓ１ＡＰ処理部２１は当該ＷＲＷＲメッセージをＲＲＣ処理部２２へ出力する。
【００５６】
この際にＳ１ＡＰ処理部２１は、ＷＲＷＲメッセージがＥＴＷＳに対応するものであると判定した場合には、ＷＲＷＲメッセージをＲＲＣ処理部２２のＥＴＷＳ用メッセージ構築部３０とＣＭＡＳ用メッセージ生成部３１へ出力する。
【００５７】
一方、Ｓ１ＡＰ処理部２１は、ＷＲＷＲメッセージがＣＭＡＳに対応するものであると判定した場合には、ＷＲＷＲメッセージをＲＲＣ処理部２２の図示しないＣＭＡＳ用メッセージ構築部へ出力する。ＣＭＡＳ用メッセージ構築部は、従来と同様な処理によりＣＭＡＳ用メッセージを構築する。
【００５８】
なお、メッセージＩＤがＥＴＷＳ用メッセージＩＤでもＣＭＡＳ用メッセージＩＤでもない場合、Ｓ１ＡＰ処理２１は、受信した当該メッセージを破棄する。
【００５９】
ＥＴＷＳ用メッセージ構築部３０は、Ｓ１ＡＰ処理部２１からＥＴＷＳ用メッセージＩＤを含むＷＲＷＲメッセージが出力されると、図９を用い説明したように当該ＷＲＷＲメッセージからメッセージＩＤ、災害の種別、およびメッセージ内容の各値を抽出する。続いてＥＴＷＳ用メッセージ構築部３０は、これらの抽出した情報を元に、メッセージＩＤと災害の種別の各値を含むＥＴＷＳ用メッセージと、メッセージＩＤとメッセージ内容の各値を含むＥＴＷＳ用メッセージを構築する。これらのＥＴＷＳ用メッセージはＳＩＢ生成部３２に出力される。
【００６０】
ここで以下では、第１のメッセージを構築または生成する機能ブロックを第１のメッセージ生成部とも称する。本実施形態における第１のメッセージ生成部は、ＥＴＷＳ用メッセージ構築部３０、またはＥＴＷＳ用メッセージ構築部３０とＳＩＢ生成部３２の組み合わせである。
【００６１】
ＣＭＡＳメッセージ生成部３１は、Ｓ１ＡＰ処理部２１からＥＴＷＳ用メッセージＩＤを含むＷＲＷＲメッセージが出力されると、図９を用い説明したように当該ＷＲＷＲメッセージからＥＴＷＳ用メッセージＩＤの値を抽出する。ここで、ＣＭＡＳメッセージ生成部３１は、図１０に一例を示した対応情報を記憶する。ＣＭＡＳメッセージ生成部３１は、当該対応情報に基づいて、抽出したＥＴＷＳ用メッセージＩＤの値に対応するＣＭＡＳ用メッセージを生成する。生成されたＣＭＡＳ用メッセージは、ＳＩＢ生成部３２に出力される。
【００６２】
ここで以下では、第２のメッセージを構築または生成する機能ブロックを第２のメッセージ生成部とも称する。本実施形態における第２のメッセージ生成部は、ＣＭＡＳ用メッセージ生成部３１、またはＣＭＡＳ用メッセージ生成部３１とＳＩＢ生成部３２の組み合わせである。
【００６３】
ＳＩＢ生成部３２は、ＥＴＷＳ用メッセージ構築部３０より出力された、メッセージＩＤと災害の種別の各値を含むＥＴＷＳ用メッセージをＳＩＢ１０に載せ換える。またＳＩＢ生成部３２は、ＥＴＷＳ用メッセージ構築部３０より出力された、メッセージＩＤとメッセージ内容の各値を含むＥＴＷＳ用メッセージをＳＩＢ１１に載せ換える。さらにまたＳＩＢ生成部３２は、ＣＭＡＳ用メッセージ生成部３１より出力されたＣＭＡＳ用メッセージをＳＩＢ１２に載せ換える。これらＳＩＢに載せ換えられた各メッセージは、ＳＩＢ生成部３２からＢａｓｅｂａｎｄ処理部２３へと出力される。
【００６４】
Ｂａｓｅｂａｎｄ処理部２３は、ＲＲＣ処理部２２から出力された各メッセージを、ベースバンド信号へ変換し、ＲＦ処理部２４へ出力する。
【００６５】
ＲＦ処理部２４は、Ｂａｓｅｂａｎｄ処理部２３から出力された信号を、無線信号へ変換し、ＵＥに配信する。
【００６６】
図１２には、本実施形態の一例に係るｅＮＢ１２において実行される処理のフローの一例が示される。
【００６７】
ｅＮＢ１２は、ＩＰパケット処理部２０を介してＭＭＥ１１よりＷＲＷＲメッセージを受信する（ステップＳ２０００）。ｅＮＢ１２のＳ１ＡＰ処理部２１は、ＷＲＷＲメッセージに含まれるメッセージＩＤがＥＴＷＳ用メッセージＩＤであるものと判定した場合には(ステップＳ２００１：Ｙｅｓ)、当該ＷＲＷＲメッセージをＥＴＷＳ用メッセージ構築部３０とＣＭＡＳ用メッセージ生成部３１に出力する。
【００６８】
ＥＴＷＳ用メッセージ構築部３０は、Ｓ１ＡＰ処理部２１から出力されたＷＲＷＲメッセージのメッセージＩＤと災害の種別とメッセージ内容の各値を抽出する。そしてＥＴＷＳ用メッセージ構築部３０は、抽出したこれらの情報からメッセージＩＤと災害の種別の各値を含むＥＴＷＳ用メッセージと、メッセージＩＤとメッセージ内容の各値を含むＥＴＷＳ用メッセージとを構築する。ＥＴＷＳ用メッセージ構築部３０において構築されたメッセージＩＤと災害の種別の各値を含むＥＴＷＳ用メッセージは、ＳＩＢ生成部３２においてＳＩＢ１０に載せ換えられる。またメッセージＩＤとメッセージ内容の各値を含むＥＴＷＳ用メッセージは、ＳＩＢ生成部３２においてＳＩＢ１１に載せ換えられる。載せ換えられたこれらのＥＴＷＳ用メッセージは、Ｂａｓｅｂａｎｄ処理部２３においてベースバンド信号に変換され、続いてＲＦ処理部２４において無線信号に変換され、ＵＥに配信される（ステップＳ２００２）。
【００６９】
ＣＭＡＳ用メッセージ生成部３１は、保有する対応情報に基づいて、Ｓ１ＡＰ処理部２１から出力されたＷＲＷＲメッセージのＥＴＷＳ用メッセージＩＤの値に対応するＣＭＡＳ用メッセージを生成する（ステップＳ２００３）。ＣＭＡＳ用メッセージ生成部３１において生成されたＣＭＡＳ用メッセージは、ＳＩＢ生成部３２においてＳＩＢ１２に載せ換えられる。ＳＩＢ１２に載せ換えられたＣＭＡＳ用メッセージは、Ｂａｓｅｂａｎｄ処理部２３においてベースバンド信号に変換され、続いてＲＦ処理部２４において無線信号に変換され、ＵＥに配信される（ステップＳ２００４）。
【００７０】
Ｓ１ＡＰ処理部２１は、受信したＷＲＷＲメッセージのメッセージＩＤがＥＴＷＳ用メッセージＩＤではないと判定した場合（ステップＳ２００１：Ｎｏ）、当該メッセージＩＤがＣＭＡＳ用メッセージＩＤであるかを判定する（ステップＳ２００５）。当該メッセージＩＤがＣＭＡＳ用メッセージＩＤである場合（ステップＳ２００５：Ｙｅｓ）、受信されたＷＲＷＲメッセージは、図１１において不図示のＣＭＡＳ用メッセージ構築部に出力される。そして、ＣＭＡＳ用メッセージ構築部により構築されたＣＭＡＳ用メッセージは、ＳＩＢ生成部３２に出力され、ＳＩＢ生成部３２においてＳＩＢ１２に載せ換えられる。ＳＩＢ１２に載せ換えられたＣＭＡＳ用メッセージは、Ｂａｓｅｂａｎｄ処理部２３においてベースバンド信号に変換され、続いてＲＦ処理部２４において無線信号に変換され、ＵＥに配信される(ステップＳ２００６)。
【００７１】
ステップＳ２００５においてＳ１ＡＰ処理部２１は、受信したＷＲＷＲメッセージのメッセージＩＤがＣＭＡＳ用メッセージＩＤでないものと判定した場合（ステップＳ２００５：Ｎｏ）、当該ＷＲＷＲメッセージを破棄する（ステップ２００７）。
【００７２】
本実施形態の一例では、ステップＳ２００２の処理の後に、ステップＳ２００３およびステップＳ２００４の処理が行われている。しかし、ステップＳ２００２の処理と、ステップＳ２００３およびステップＳ２００４の処理は、ステップＳ１００１のＹｅｓの判定処理の後に並列に行われてもよい。またステップＳ２００３およびステップＳ２００４の処理の後にステップＳ２００２の処理が行われてもよい。
【００７３】
図１３は、ｅＮＢ１２のハードウェア構成の一例を示す図である。ｅＮＢ１２は、プロセッサ４０、メモリ４１、およびネットワークインタフェース回路４２Ａ、無線送受信回路４２Ｂを備える。またｅＮＢ１２は、記憶装置４３を備えていてもよい。これらは互いにバス４６により接続されている。
【００７４】
プロセッサ４０は、例えばデュアルコアプロセッサ、マルチコアプロセッサである。本実施形態の一例では、プロセッサ４０は、例えばＣＰＵ（Ｃｅｎｔｒａｌ  Ｐｒｏｃｅｓｓｉｎｇ  Ｕｎｉｔ）４４とＤＳＰ（Ｄｉｇｉｔａｌ  Ｓｉｇｎａｌ  Ｐｒｏｃｅｓｓｏｒ）４５を備える。
【００７５】
メモリ４１は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、半導体メモリである。メモリ４１は、上述したＥＴＷＳ用メッセージＩＤ（４３５２〜４３５９）とＣＭＡＳ用メッセージＩＤ（４３７０〜４３９９）を含むメッセージＩＤの各値と、これらメッセージＩＤの各値に対応するメッセージ内容を記憶していてもよい。また、メモリ４１は、上述した対応情報を記憶していてもよい。
【００７６】
ネットワークインタフェース回路４２Ａは、ＬＡＮ（Ｌｏｃａｌ  Ａｒｅａ  Ｎｅｔｗｏｒｋ）、インターネット、またはイントラネット等を介して、ｅＮＢ１２がＭＭＥ１１等と通信を行えるようにするためのインタフェースである。
【００７７】
無線送受信回路４２Ｂは、ｅＮＢ１２がＵＥと無線通信等を行えるようにするための回路であり、例えばＲＦ（Ｒａｄｉｏ  Ｆｒｅｑｕｅｎｃｙ）モジュールを含む。無線送受信回路４２Ｂにより、上述したＲＦ処理部２４の機能が実現される。
【００７８】
プロセッサ４０が、メモリ４１に記憶されているデータを用いて、メモリ４１に記憶されているプログラムを実行することにより上述したＳ１ＡＰ処理部２１およびＲＲＣ処理部２２の機能が実現される。またプロセッサ４０が、ネットワークインタフェース回路４２Ａを介して取得したＭＭＥ１１等からのメッセージに対し処理を実行することによりＩＰパケット処理部２０の機能が実現される。本実施形態の一例では、これらＳ１ＡＰ処理部２１、ＲＲＣ処理部２２、およびＩＰパケット処理部２０の機能の実現のための処理は、ＣＰＵ４４が行う。
【００７９】
またプロセッサ４０が、メモリ４１に記憶されているプログラムを実行することにより、上記、Ｂａｓｅｂａｎｄ処理部２３の機能が実現される。この機能の実現のための処理は、本実施形態の一例ではＤＳＰ４５が行う。
【００８０】
記憶装置４３は、例えばハードディスクドライブ、光ディスク装置等であり、外部記憶装置や可搬型記憶媒体でもよい。記憶装置４３は、上述したＥＴＷＳ用メッセージＩＤ（４３５２〜４３５９）とＣＭＡＳ用メッセージＩＤ（４３７０〜４３９９）を含むメッセージＩＤの各値とこれらメッセージＩＤの各値に対応するメッセージ内容を記憶していてもよい。また、記憶装置４３は、上述した対応情報を記憶していてもよい。プロセッサ４０が記憶装置４３からこれらの情報をメモリ４１に読み込んで、メモリ４１に記憶されているプログラムを実行することにより、上記ＲＲＣ処理部２２等の機能が実現されてもよい。なおメモリ４１が、メッセージＩＤの各値、これらメッセージＩＤの各値に対応するメッセージ内容、および対応情報を記憶する場合には、記憶装置４３はなくともよい。
【００８１】
配信システム１に係るＣＢＣ１０、ＭＭＥ１１は既存のものであることより、これらの機能ブロックとハードウェアについての説明は省略するものとする。
【００８２】
本実施形態の一例に係る配信装置（ｅＮＢ１２）と配信システム１によれば、ＣＢＣ１０から配信装置における通信回路において第２の識別子（ＣＭＡＳ用メッセージＩＤ）を付与したＷＲＷＲメッセージは伝送されない。これにより、ＣＢＣ１０から配信装置における通信回路上のトラヒック量の低減を図ることができ、緊急事態においてメッセージの伝送を迅速に行うことができる。また配信装置は、第１の識別子（ＥＴＷＳ用メッセージＩＤ）の各値と対応付けられた第２のメッセージ（ＣＭＡＳ用メッセージ）のパラメータ値を含む対応情報を保持する。配信装置は、この対応情報に基づいて、１つのシステムに限定されないメッセージを生成できる。これらにより配信装置は、端末装置（ＵＥ）がいずれのシステムに対応するかに関係なく、両方のシステム（ＥＴＷＳ、ＣＭＡＳ）の各々に対応する端末装置に緊急速報を迅速に配信できる。
【００８３】
（第２の実施形態）
本実施形態に係る配信システム２は、図７により示され、第１の実施形態に係る配信システム１と同様のＣＢＣ１０とＭＭＥ１１とを備える。また配信システム２は、第１の実施形態に係るｅＮＢ１２に代わる、またはｅＮＢ１２が有する機能を合わせ持つｅＮＢ１３を備える。本実施形態の一例においては、配信装置はｅＮＢ１３に対応する。
【００８４】
図１４は、本実施形態の一例に係る配信システム２におけるシーケンスの一例を示す図である。ＣＢＣ１０は、気象庁サーバから配信要求を受信すると（ステップＳ３０００）、当該配信要求に対応するメッセージＩＤを付与したＷＲＷＲメッセージを作成する（ステップＳ３００１）。本実施形態の一例では、ＣＢＣ１０によりＷＲＷＲメッセージに付与されるメッセージＩＤをＣＭＡＳ用メッセージＩＤ（４３７０〜４３９９）とする。すなわち、本実施形態の一例に係る第１の識別子は、ＣＭＡＳ用メッセージＩＤである。
【００８５】
なおＣＢＣ１０は、配信要求の内容によらず一定のメッセージＩＤをＷＲＷＲメッセージに付与するようにしてもよい。例えば、ＣＢＣ１０はＣＭＡＳ用メッセージＩＤを付与したＷＲＷＲメッセージを作成し、ＥＴＷＳ用メッセージＩＤを付与したＷＲＷＲメッセージを作成しないものとしてもよい。
【００８６】
ＣＢＣ１０は、ステップＳ３００１において作成したＷＲＷＲメッセージをＭＭＥ１１に送信する（ステップＳ３００２）。
【００８７】
ＭＭＥ１１は、ＷＲＷＲメッセージをＣＢＣ１０から受信すると、ＷＲＷＲ応答をＣＢＣ１０に送信する（ステップＳ３００３）。
【００８８】
ＣＢＣ１０は、ＷＲＷＲ応答をＭＭＥ１１から受信すると、気象庁サーバに対し、緊急情報配信応答を送信する（ステップＳ３００４）
ＭＭＥ１１は、ＣＢＣ１０より受信したＷＲＷＲメッセージを配下のｅＮＢ１３へと転送する（ステップＳ３００５）。
【００８９】
なお、ステップＳ３００３とステップＳ３００５の各処理は、互いに逆の順序で行われてもよく、または並列に行われてもよい。
【００９０】
ｅＮＢ１３は、ＷＲＷＲメッセージを受信すると、ＷＲＷＲメッセージに含まれるメッセージＩＤを参照し、当該ＷＲＷＲメッセージがＣＭＡＳに対応するメッセージであると判定する（ステップＳ３００６）。ｅＮＢ１３は、図３に示されるＷＲＷＲメッセージのパラメータ「メッセージＩＤ」と「メッセージ内容」の各値を用いてＣＭＡＳ用メッセージを構築する。そしてｅＮＢ１３は、構築したＣＭＡＳ用メッセージをＳＩＢ１２に載せ換え、これを自局配下のＵＥに対して、ページング処理の後、ブロードキャスト配信する（ステップＳ３００７）。
【００９１】
ＣＭＡＳに対応するＵＥは、ＣＭＡＳ用メッセージを受け付け、緊急情報の通知を受ける（ステップＳ３００８）。
【００９２】
ｅＮＢ１３は、上記実施形態の一例に係るｅＮＢ１２同様、第１の識別子と第２のメッセージとの対応関係に係る対応情報を記憶する。ただし、本実施の形態の一例においては、第１のメッセージはＣＭＡＳ用メッセージであり、第１の識別子はＣＭＡＳ用メッセージＩＤであり、第２のメッセージはＥＴＷＳ用メッセージである。
【００９３】
ｅＮＢ１３は、保持する対応情報に基づき、受信したＷＲＷＲメッセージに付与されたＣＭＡＳ用メッセージＩＤの値に対応するＥＴＷＳ用メッセージを生成する（ステップＳ３００９）。
【００９４】
ｅＮＢ１３は、生成したＥＴＷＳ用メッセージをＳＩＢ１０、ＳＩＢ１１に載せ換え、これらのメッセージをＵＥにブロードキャスト配信する（ステップＳ３０１０）。
【００９５】
なおステップＳ３００７の処理と、ステップＳ３００９およびステップＳ３０１０の処理は、順序が逆に行われても、並行して行われてもよい。
【００９６】
ＥＴＷＳに対応するＵＥは、ＥＴＷＳ用メッセージを受け付け、緊急情報の通知を受ける（ステップＳ３０１１）。
【００９７】
ステップＳ３０１０の処理の後、ｅＮＢ１３はＷＲＷＲ応答をＭＭＥ１１に送信する（ステップＳ３０１２）。
【００９８】
図１５は、ｅＮＢ１３による、緊急速報配信の際に行われる第１、２のメッセージの作成処理の一例の概要を示す図である。図１５「（１）ＣＭＡＳ対応のメッセージ作成」にあるように、ＭＭＥ１１からＷＲＷＲメッセージを受信したｅＮＢ１３は、ＷＲＷＲメッセージのメッセージＩＤとメッセージ内容の各値を抽出する。そしてｅＮＢ１３は、抽出したメッセージＩＤとメッセージ内容の各値を挿入したＣＭＡＳ用メッセージを構築し、当該ＣＭＡＳ用メッセージをＳＩＢ１２に載せ換える。
【００９９】
ｅＮＢ１３はまた、ＥＴＷＳに対応するメッセージの作成も行う。図１５の「（２）ＥＴＷＳ対応のメッセージ作成」と図１６を用いて、ｅＮＢ１３によるＥＴＷＳ用メッセージ作成の動作について説明する。図１５の「（２）ＥＴＷＳ対応のメッセージ作成」にあるように、まずｅＮＢ１３は受信したＷＲＷＲメッセージに含まれるメッセージＩＤ（ＣＭＡＳ用メッセージＩＤ）の値を抽出する。ｅＮＢ１３はＣＭＡＳ用メッセージＩＤの値を抽出すると対応情報を用いてＥＴＷＳ用メッセージを生成する。図１６はこの対応情報の一例を示す図である。図１６に示す対応情報は、テーブル形式のものであり、ＣＭＡＳ用メッセージＩＤの値と、これに対応付けられたＥＴＷＳ用メッセージの各パラメータの値が、行毎に記録されるものである。
【０１００】
図１６について具体的に説明を行う。ＣＭＡＳ用メッセージＩＤ「ｘｘｘｘ」に対応するＥＴＷＳ用メッセージに含まれるＥＴＷＳ用メッセージＩＤと災害の種別とメッセージ内容の各値は、それぞれ「ＸＸＸＸ」と「００００」と「ＥＴＷＳ用メッセージ内容１」である。なお、第１の実施形態の場合と同様、図１６でも理解容易の為に例えばメッセージ内容の値を「ＥＴＷＳ用メッセージ内容Ｎ’（Ｎ’は自然数）」として表しているが、実際のメッセージ内容の値は数値等である。
【０１０１】
図１５の「（２）ＥＴＷＳ対応のメッセージの作成」を再度参照すると、上述のようにｅＮＢ１３は、対応情報に基づいて、抽出したＣＭＡＳ用メッセージＩＤの値に対応するＥＴＷＳ用メッセージを生成する。このときにｅＮＢ１３は、抽出したＣＭＡＳ用メッセージＩＤの値に対応するＥＴＷＳ用メッセージＩＤと災害の種別とＥＴＷＳ用メッセージ内容の各値を対応情報から導出し、これらを挿入したＥＴＷＳ用メッセージを生成する。
【０１０２】
例えば抽出されたＣＭＡＳ用メッセージＩＤの値が図１６における「ｘｘｘｘ」のときには、ＥＴＷＳ用メッセージＩＤ「ＸＸＸＸ」、災害の種別「００００」、メッセージ内容「ＥＴＷＳ用メッセージ内容１」が挿入されたＥＴＷＳ用メッセージが生成される。
【０１０３】
本実施形態におけるＥＴＷＳ用メッセージ生成処理は、後述するＥＴＷＳ用メッセージ生成部３４により行われる。
【０１０４】
ＥＴＷＳ用メッセージＩＤと災害の種別が挿入されたＥＴＷＳ用メッセージは、ＳＩＢ１０に載せ換えられる。また、ＥＴＷＳ用メッセージＩＤとＥＴＷＳ用メッセージ内容が挿入されたＥＴＷＳ用メッセージはＳＩＢ１１に載せ換えられる。
【０１０５】
図１７は、本実施形態の一例に係るｅＮＢ１３の機能ブロック図である。本実施形態に係るｅＮＢ１３において、第１の実施形態に係るｅＮＢ１２の機能ブロックと同様の処理を行う機能ブロックには、第１の実施形態の場合と同様の符号を付す。
【０１０６】
ｅＮＢ１３は、ＩＰパケット処理部２０、Ｓ１ＡＰ処理部２５、ＲＲＣ処理部２６、Ｂａｓｅｂａｎｄ処理部２３、およびＲＦ処理部２４を備える。
【０１０７】
ＲＲＣ処理部２６は、ＣＭＡＳ用メッセージ構築部３３、ＥＴＷＳ用メッセージ生成部３４、およびＳＩＢ生成部３２を備える。
【０１０８】
ＩＰパケット処理部２０は、上記第１の実施形態と同様の処理を行うため、説明を省略する。
【０１０９】
Ｓ１ＡＰ処理部２５は、Ｓ１ＡＰメッセージの送信と受信に関する処理を行う。Ｓ１ＡＰ処理部２５は、ＭＭＥ１１等の上位装置から受信したＷＲＷＲメッセージに含まれるメッセージＩＤを参照し、当該メッセージＩＤがＥＴＷＳ用メッセージＩＤか、ＣＭＡＳ用メッセージＩＤか、またはそれら以外かを判定する。そしてＷＲＷＲメッセージがＥＴＷＳとＣＭＡＳのいずれかに対応するものである場合には、Ｓ１ＡＰ処理部２５は当該ＷＲＷＲメッセージをＲＲＣ処理部２６へ出力する。
【０１１０】
この際にＳ１ＡＰ処理部２５は、ＷＲＷＲメッセージがＣＭＡＳに対応するものであると判定した場合には、ＷＲＷＲメッセージをＲＲＣ処理部２６のＣＭＡＳ用メッセージ構築部３３とＥＴＷＳ用メッセージ生成部３４へ出力する。
【０１１１】
一方、Ｓ１ＡＰ処理部２５は、ＷＲＷＲメッセージがＥＴＷＳに対応するものであると判定した場合には、当該ＷＲＷＲメッセージを、ＲＲＣ処理部２６における図１７には不図示のＥＴＷＳ用メッセージ構築部へ出力する。ＥＴＷＳ用メッセージ構築部は、従来と同様な処理によりＥＴＷＳ用メッセージを構築する。
【０１１２】
なお、メッセージＩＤがＥＴＷＳ用メッセージＩＤでもＣＭＡＳ用メッセージＩＤでもない場合、Ｓ１ＡＰ処理部２５は、受信した当該メッセージを破棄する。
【０１１３】
ＣＭＡＳ用メッセージ構築部３３は、Ｓ１ＡＰ処理部２５からＣＭＡＳ用メッセージＩＤを含むＷＲＷＲメッセージが出力されると、図１５（１）を用いて説明したように当該ＷＲＷＲメッセージからメッセージＩＤとメッセージ内容の各値を抽出する。続いてＣＭＡＳ用メッセージ構築部３３は、抽出したメッセージＩＤとメッセージ内容の各値を元にＣＭＡＳ用メッセージを構築する。このＣＭＡＳ用メッセージはＳＩＢ生成部３２に出力される。
【０１１４】
ここで本実施形態における第１のメッセージ生成部は、ＣＭＡＳ用メッセージ構築部３３、またはＣＭＡＳ用メッセージ構築部３３とＳＩＢ生成部３２の組み合わせである。
【０１１５】
ＥＴＷＳメッセージ生成部３４は、Ｓ１ＡＰ処理部２５からＣＭＡＳ用メッセージＩＤを含むＷＲＷＲメッセージが出力されると、図１５（２）を用いて説明したように当該ＷＲＷＲメッセージからＣＭＡＳ用メッセージＩＤの値を抽出する。ここで、ＥＴＷＳメッセージ生成部３４は、図１６に一例を示した対応情報を記憶する。ＥＴＷＳメッセージ生成部３４は、当該対応情報に基づいて、抽出したＣＭＡＳ用メッセージＩＤの値からＥＴＷＳ用メッセージＩＤ、災害の種別、およびＥＴＷＳ用メッセージ内容の各値を導出して、これらを挿入したＥＴＷＳ用メッセージを生成する。このときに生成されるＥＴＷＳ用メッセージは、ＥＴＷＳ用メッセージＩＤと災害の種別とを含むメッセージと、ＥＴＷＳ用メッセージＩＤとＥＴＷＳ用メッセージ内容とを含むメッセージである。生成されたこれらのＥＴＷＳ用メッセージは、ＳＩＢ生成部３２に出力される。
【０１１６】
ＳＩＢ生成部３２は、ＣＭＡＳ用メッセージ構築部３３より出力されたＣＭＡＳ用メッセージをＳＩＢ１２に載せ換える。またＳＩＢ生成部３２は、ＥＴＷＳ用メッセージ生成部３４より出力された、ＥＴＷＳ用メッセージＩＤと災害の種別とを含むＥＴＷＳ用メッセージをＳＩＢ１０に載せ換える。またさらにＳＩＢ生成部３２は、ＥＴＷＳ用メッセージＩＤとＥＴＷＳ用メッセージ内容とを含むＥＴＷＳ用メッセージをＳＩＢ１１に載せ換える。
【０１１７】
ここで本実施形態における第２のメッセージ生成部は、ＥＴＷＳ用メッセージ生成部３４、またはＥＴＷＳ用メッセージ生成部３４とＳＩＢ生成部３２の組み合わせである。
【０１１８】
これらＳＩＢに載せ換えられた各メッセージは、ＳＩＢ生成部３２からＢａｓｅｂａｎｄ処理部２３へと出力される。
【０１１９】
第１の実施形態と同様、Ｂａｓｅｂａｎｄ処理部２３は、ＲＲＣ処理部２６から出力された各メッセージを、ベースバンド信号へ変換し、ＲＦ処理部２４へ出力する。
【０１２０】
第１の実施形態と同様、ＲＦ処理部２４は、Ｂａｓｅｂａｎｄ処理部２３から出力された信号を、無線信号へ変換し、ＵＥに配信する。
【０１２１】
図１８は、本実施形態の一例に係るｅＮＢ１３において実行される処理のフローの一例を示す図である。
【０１２２】
ｅＮＢ１３は、ＩＰパケット処理部２０を介してＭＭＥ１１よりＷＲＷＲメッセージを受信する（ステップＳ４０００）。ｅＮＢ１３のＳ１ＡＰ処理部２５は、ＷＲＷＲメッセージに含まれるメッセージＩＤがＣＭＡＳ用メッセージＩＤであるものと判定した場合には(ステップＳ４００１：Ｙｅｓ)、当該ＷＲＷＲメッセージをＣＭＡＳ用メッセージ構築部３３とＥＴＷＳ用メッセージ生成部３４に出力する。
【０１２３】
ＣＭＡＳ用メッセージ構築部３３は、Ｓ１ＡＰ処理部２５から出力されたＷＲＷＲメッセージのＣＭＡＳ用メッセージＩＤに基づいてＣＭＡＳ用メッセージを構築する。ＣＭＡＳ用メッセージ構築部３３において構築されたＣＭＡＳ用メッセージは、ＳＩＢ生成部３２においてＳＩＢ１２に載せ換えられる。
【０１２４】
ＳＩＢ１２に載せ換えられたＣＭＡＳ用メッセージは、Ｂａｓｅｂａｎｄ処理部２３においてベースバンド信号に変換され、続いてＲＦ処理部２４において無線信号に変換された後にＵＥに対し配信される（ステップＳ４００２）。
【０１２５】
ＥＴＷＳ用メッセージ生成部３４は、保有する対応情報に基づいて、Ｓ１ＡＰ処理部２５から出力されたＷＲＷＲメッセージのＣＭＡＳ用メッセージＩＤの値に対応するパラメータ値を含むＥＴＷＳ用メッセージを生成する（ステップＳ４００３）。ここで生成されるＥＴＷＳ用メッセージは、ＥＴＷＳ用メッセージＩＤと災害の種別とを含むものと、ＥＴＷＳ用メッセージＩＤとＥＴＷＳ用メッセージ内容とを含むものである。ＥＴＷＳ用メッセージ生成部３４において生成されたＥＴＷＳ用メッセージのうちＥＴＷＳ用メッセージＩＤと災害の種別とを含むものは、ＳＩＢ生成部３２においてＳＩＢ１０に載せ換えられる。一方、ＥＴＷＳ用メッセージＩＤとＥＴＷＳ用メッセージ内容とを含むものは、ＳＩＢ生成部３２においてＳＩＢ１１に載せ換えられる。
【０１２６】
ＳＩＢ１０、１１に載せ換えられたＥＴＷＳ用メッセージは、Ｂａｓｅｂａｎｄ処理部２３においてベースバンド信号に変換され、続いてＲＦ処理部２４において無線信号に変換された後にＵＥに対し配信される（ステップＳ４００４）。
【０１２７】
Ｓ１ＡＰ処理部２５は、受信したＷＲＷＲメッセージのメッセージＩＤがＣＭＡＳ用メッセージＩＤではないと判定した場合（ステップＳ４００１：Ｎｏ）、当該メッセージＩＤがＥＴＷＳ用メッセージＩＤであるかを判定する（ステップＳ４００５）。当該メッセージＩＤがＥＴＷＳ用メッセージＩＤである場合（ステップＳ４００５：Ｙｅｓ）、受信されたＷＲＷＲメッセージはＥＴＷＳ用メッセージ構築部に出力される。ＥＴＷＳ用メッセージ構築部は、Ｓ１ＡＰ処理部２５から入力されたＷＲＷＲメッセージのＥＴＷＳ用メッセージＩＤに基づいて、ＥＴＷＳ用メッセージを構築する。この際に構築されるＥＴＷＳ用メッセージは、ＥＴＷＳ用メッセージと災害の種別とを含むものと、ＥＴＷＳ用メッセージＩＤとＥＴＷＳ用メッセージ内容とを含むものである。そして、ＥＴＷＳ用メッセージ構築部により構築されたＥＴＷＳ用メッセージのうち、ＥＴＷＳ用メッセージＩＤと災害の種別とを含むものは、ＳＩＢ生成部３２においてＳＩＢ１０に載せ換えられる。一方、ＥＴＷＳ用メッセージＩＤとＥＴＷＳ用メッセージ内容とを含むものは、ＳＩＢ生成部３２においてＳＩＢ１１に載せ換えられる。
【０１２８】
これらＳＩＢ１０、１１に載せ換えられたＥＴＷＳ用メッセージは、Ｂａｓｅｂａｎｄ処理部２３においてベースバンド信号に変換され、続いてＲＦ処理部２４において無線信号に変換された後にＵＥに配信される(ステップＳ４００６)。
【０１２９】
ステップＳ４００５においてＳ１ＡＰ処理部２５は、受信したＷＲＷＲメッセージのメッセージＩＤがＥＴＷＳ用メッセージＩＤでないものと判定した場合（ステップＳ４００５：Ｎｏ）、当該ＷＲＷＲメッセージを破棄する（ステップＳ４００７）。
【０１３０】
なお、本実施形態の一例では、ステップＳ４００２の処理と、ステップＳ４００３およびステップＳ４００４の処理は直列に行われているが、これらの処理はステップＳ４００１のＹｅｓの判定処理の後に、並列に、または順序を逆にして行われてもよい。
【０１３１】
本実施形態に係るｅＮＢ１３のハードウェア構成の一例は図１３により示され、以下を除く点は第１の実施形態の場合と同様であるので、相違点以外の説明を省略する。
【０１３２】
第１の実施形態では、メモリ４１または記憶装置４３に記憶されている対応情報は、ＥＴＷＳ用メッセージＩＤの値とＣＭＡＳ用メッセージのパラメータ値との対応関係を示すものであった。本実施形態においてメモリ４１または記憶装置４３に記憶される対応情報は、ＣＭＡＳ用メッセージＩＤの値とＥＴＷＳ用メッセージのパラメータ値との対応関係を示すものである。
【０１３３】
本実施形態の一例に係る配信装置（ｅＮＢ１３）と配信システム２によれば、ＣＢＣ１０から配信装置における通信回路においてＥＴＷＳ用メッセージＩＤを付与したＷＲＷＲメッセージが伝送されない。これにより、ＣＢＣ１０から配信装置における通信回路上のトラヒック量の低減を図ることができ、緊急事態においてメッセージの伝送を迅速に行うことができる。
【０１３４】
また配信装置は、ＣＭＡＳ用メッセージＩＤの各値に対応付けられたＥＴＷＳ用メッセージのパラメータ値を含む対応情報を保持する。配信装置は、この対応情報に基づいて、ＥＴＷＳに対応するメッセージの生成も行うことができる。
【０１３５】
これらにより配信装置は、緊急事態においてＣＭＡＳとＥＴＷＳに対応する端末装置に対し緊急速報を迅速に配信できる。
【０１３６】
（第３の実施形態）
上記実施形態に係る配信装置は、第１の識別子と第２のメッセージとの対応関係に係る対応情報を記憶していた。ここで、第１の識別子と第２のメッセージとの対応関係に変更がある場合など、対応情報の書き換えを行わなければならない場合も想定される。しかし配信装置に記憶された対応情報を書き換えられない場合、第１の識別子に実際に対応する、適切な第２のメッセージが配信装置から端末装置に配信されない場合もある。また配信装置において対応情報を書き換えることができても、オペレータは複数の配信装置に対し対応情報の更新を行わなければならない場合が想定される。本実施形態に係る配信システム３は、第１の識別子に対応する第２のメッセージに変化がある場合に、オペレータが一括して配信装置に記憶されている対応情報を更新し、適切な第２のメッセージの配信が行われるようにすることを目的とする。
【０１３７】
図１９は、本実施形態の一例に係る配信システム３のシステム構成を示す図である。本実施形態に係る配信システム３は、第１、２の実施形態に係る配信システム１、２が備えるＣＢＣ１０とＭＭＥ１１に加え、１台以上の管理装置１５を備える。また配信システム３は、上記実施形態に係るｅＮＢ１２、１３に代わる、またはｅＮＢ１２もしくはｅＮＢ１３の有する機能を合わせ持つｅＮＢ１４を備える。
【０１３８】
管理装置１５は、上記対応情報を記憶し、１以上のｅＮＢ１４に接続されている。なお、１以上のｅＮＢ１４の各々が記憶する対応情報の整合性の維持、およびこれらの対応情報の一括更新のため、本実施形態の一例に係る配信システム３が備える管理装置１５は１台とする。そして、この管理装置１５が配信システム３における１以上のｅＮＢ１４の対応情報を一括して更新するものとする。ただし、これに限定されない。例えば複数の管理装置１５が、各々保有する対応情報の整合性を保持する為に互いに情報のやりとりを行うことができる場合、配信システム３はこれら複数の管理装置１５を備えてもよい。そして、各ｅＮＢ１４はこれら複数の管理装置１５のいずれかに接続されていればよい。
【０１３９】
なお、本実施形態の一例に係る管理装置１５は、ＭＭＥ１１等と接続されていないが、接続されていてもよい。また本実施形態の一例に係る管理装置１５は、ＭＭＥ１１やＣＢＣ１０とは独立の装置であるとしているが、これらの少なくともいずれか一方と一体であってもよい。
【０１４０】
図２０は、本実施形態の一例に係る管理装置１５とｅＮＢ１４による、対応情報更新の際のシーケンスの一例を示す図である。
【０１４１】
管理装置１５は、オペレータの入力により自己の保有する対応情報の更新が行われると（ステップＳ５０００）、更新された対応情報と、各ｅＮＢ１４の保持する対応情報との整合のため、各ｅＮＢ１４に対応情報の更新要求を送信する（ステップＳ５００１）。
【０１４２】
対応情報の更新要求を受信したｅＮＢ１４は、ｅＮＢ１４の第２のメッセージ生成部（ＥＴＷＳ用メッセージ生成部３４、ＣＭＡＳメッセージ生成部３１等）において記憶する対応情報を、受信した更新要求の内容に基づいて更新する（ステップＳ５００２）。ステップＳ５００２に続いて、ｅＮＢ１４は管理装置１５に更新応答を送信する（ステップＳ５００３）。
【０１４３】
図２１は、本実施形態の一例に係る管理装置１５の機能ブロック図である。管理装置１５は、入力部５０、記憶部５１、更新処理部５２、ＯＡＭ（Ｏｐｅｒａｔｉｏｎｓ  Ａｄｍｉｎｉｓｔｒａｔｉｏｎ  Ｍａｉｎｔｅｎａｎｃｅ）処理部５３、およびＩＰパケット処理部５４等を備える。
【０１４４】
入力部５０は、オペレータからの入力を受け付ける。当該入力内容には、対応情報の更新指示等が含まれる。
【０１４５】
記憶部５１は、対応情報を記憶する。
更新処理部５２は、入力部５０により受け付けた更新指示に基づいて記憶部５１において記憶されている対応情報の更新を行う。
【０１４６】
ＯＡＭ処理部５３は、対応情報の更新が実行された旨の通知を記憶部５１または更新処理部５２より受けて、対応情報の更新に係る情報（更新情報とも呼ぶ）を記憶部５１または更新処理部５２より取得する。更新情報は、例えば更新後の対応情報、または更新後の対応情報の更新前の対応情報からの差分の情報を含む。なお、更新情報には、対応情報の更新が実行された旨の通知が含まれていてもよい。なお、ＯＡＭ処理部５３は、更新処理部５２からではなく、記憶部５１から対応情報の更新がされた旨の通知や更新情報の入力を受ける場合には、更新処理部５２とＯＡＭ処理部５３は接続されていなくともよい。また、ＯＡＭ処理部５３は、記憶部５１からではなく、更新処理部５２から対応情報の更新がされた旨の通知や更新情報の入力を受ける場合には、記憶部５１とＯＡＭ処理部５３は接続されていなくともよい。本実施形態の一例においては、ＯＡＭ処理部５３は、更新処理部５２から対応情報の更新がされた旨の通知を受け、記憶部５１から更新情報を読み出す（入力される）ものする。
【０１４７】
ＯＡＭ処理部５３は、取得した更新情報をＩＰパケット処理部５４へ出力する。
ＩＰパケット処理部５４は、ＩＰパケットの送信と受信に関する処理を行う。ＩＰパケット処理部５４は、更新情報を含む更新要求を当該管理装置１５の管理下のｅＮＢ１４に送信する。
【０１４８】
なお、図示はしていないが、管理装置１５はオペレータに対し、対応情報を表示するための出力部を備えていてもよい。
【０１４９】
図２２は、本実施形態の一例に係るｅＮＢ１４の機能ブロック図である。ｅＮＢ１４において、上記実施形態に係るｅＮＢ１２、１３の機能ブロックと同様の処理を行う機能ブロックには、上記と同様の符号を付す。
【０１５０】
本実施形態の一例に係るｅＮＢ１４は、ＩＰパケット処理部２７、Ｓ１ＡＰ処理部２１、ＯＡＭ処理部２８、ＲＲＣ処理部２９、Ｂａｓｅｂａｎｄ処理部２３、およびＲＦ処理部２４等を備える。またＲＲＣ処理部２９は、本実施形態の一例では第１の実施形態と同様、ＥＴＷＳ用メッセージ構築部３０、ＣＭＡＳ用メッセージ生成部３５、およびＳＩＢ生成部３２等を備える。なお、ＣＭＡＳ用メッセージ生成部３５は、第１の実施形態の一例に係るＣＭＡＳ用メッセージ生成部３１による処理に併せて本実施形態に係る処理も行う機能ブロックである。
【０１５１】
ＲＲＣ処理部２９は、ＥＴＷＳ用メッセージ構築部３０とＣＭＡＳ用メッセージ生成部３５の組み合わせに代わり、またはこれと共に第２の実施形態におけるＣＭＡＳ用メッセージ構築部３３、およびＥＴＷＳ用メッセージ生成部を備えていてもよい。このＥＴＷＳ用メッセージ生成部は、第２の実施形態に係るＥＴＷＳ用メッセージ生成部３４と同様の処理を行うものでもよく、またはＥＴＷＳ用メッセージ生成部３４の処理と共に以下説明する対応情報の更新処理を行うものでもよい。ここでの対応情報は、第２の実施形態において説明したものである。なおこの場合、ｅＮＢ１４は、第２の実施形態に係るＳ１ＡＰ処理部２５を備える。この場合、ＥＴＷＳ用メッセージ生成部はＳ１ＡＰ処理部２５、ＯＡＭ処理部２８、およびＳＩＢ生成部３２と接続されている。
【０１５２】
本実施形態に係る各機能ブロックは、ＩＰパケット処理部２７とＯＡＭ処理部２８とＣＭＡＳ用メッセージ生成部３５以外は、上記実施形態の各機能ブロックと同様のものであるので説明を省略する。
【０１５３】
ＩＰパケット処理部２７は、上記実施形態における処理に加え、管理装置１５よりＩＰパケット形式の更新要求を受信し、当該更新要求をＯＡＭ処理部２８へ出力する。
【０１５４】
ＯＡＭ処理部２８は、ＩＰパケット処理部２７を介して取得した管理装置１５からの更新要求をＣＭＡＳ用メッセージ生成部３５へ出力する。
【０１５５】
ＣＭＡＳ用メッセージ生成部３５は、ＯＡＭ処理部２８より出力された更新要求に基づいて、自己の保持する対応情報の更新を行う。ＣＭＡＳ用メッセージ生成部３５は、対応情報の更新後にＳ１ＡＰ処理部２１からＷＲＷＲメッセージの入力があった場合には、更新後の対応情報を用いてＣＭＡＳ用メッセージを生成する。
【０１５６】
図２３は、本実施形態の一例に係る管理装置１５とｅＮＢ１４のフローチャートである。管理装置１５において、更新処理部５２により記憶部５１の対応情報の更新がされた場合（ステップＳ６０００：Ｙｅｓ）、管理装置１５は自己の管理下のｅＮＢ１４に対し、対応情報の更新要求を送信する（ステップＳ６００１）。ｅＮＢ１４は、ＩＰパケット処理部２７を介して管理装置１５から対応情報の更新要求を受信する（ステップＳ６００２）。ｅＮＢ１４のＣＭＡＳ用メッセージ生成部３５は、更新要求の入力をＯＡＭ処理部２８より受け、自己の保持する対応情報を当該更新要求に基づいて更新する。ｅＮＢ１４は、更新要求の送信元の管理装置１５に更新応答を送信する（ステップＳ６００３）。更新応答を受信した管理装置１５は、更新応答の送信元のｅＮＢ１４に対する処理を終了する。また管理装置１５は、自己の管理下の他のｅＮＢ１４に対し同様の処理を行う。
【０１５７】
図２４は、管理装置１５ハードウェア構成の一例を示す図である。管理装置１５は、入力インタフェース６０、プロセッサ６１、メモリ６２、およびネットワークインタフェース回路６３を備える。これらは互いにバス６４等により接続されている。なお、管理装置１５は、記憶装置６５を備えていてもよい。また管理装置１５は、図示していないが、出力インタフェースを備えていてもよい。
【０１５８】
入力インタフェース６０は、キーボード等の入力装置に接続するためのインタフェースであり、管理装置１５は入力インタフェース６０を介し入力装置と接続されている。入力装置と入力インタフェース６０により、上述の入力部５０の機能が実現される。
【０１５９】
プロセッサ６１は、例えばシングルコア、デュアルコア、またはマルチコアのプロセッサである。
【０１６０】
メモリ６２は、例えばＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、半導体メモリである。メモリ６２と記憶装置６５の少なくともいずれか一方が、上記対応情報を記憶し、記憶部５１の機能を実現する。
【０１６１】
ネットワークインタフェース回路６３は、ＬＡＮ（Ｌｏｃａｌ  Ａｒｅａ  Ｎｅｔｗｏｒｋ）、インターネット、またはイントラネット等を介して、管理装置１５がｅＮＢ１４等と通信を行えるようにするためのインタフェースである。
【０１６２】
プロセッサ６１が、ネットワークインタフェース回路６３を介してｅＮＢ１４へ送信するための更新要求とｅＮＢ１４から受信する更新応答に対して処理を行うことにより、ＩＰパケット処理部５４の機能が実現される。
【０１６３】
またプロセッサ６１が、メモリ６２に記憶された情報、または記憶装置６５からメモリ６２に読み込んだ情報を用いて、メモリ６２に記憶された各種プログラムを実行することにより、更新処理部５２とＯＡＭ処理部５３の機能が実現される。
【０１６４】
記憶装置６５は、例えばハードディスクドライブ、光ディスク装置等であり、外部記憶装置や可搬型記憶媒体でもよい。管理装置１５は、上記メモリ６２が対応情報を保持する場合、記憶装置６５を備えなくともよい。
【０１６５】
不図示の出力インタフェースは、液晶ディスプレイなどの表示装置と管理装置１５とを接続するためのインタフェースである。出力インタフェースと表示装置により、上述した管理装置１５の出力部の機能が実現され、これによりオペレータは対応情報等を確認することができる。
【０１６６】
本実施形態に係るｅＮＢ１４のハードウェア構成の一例は、第１、２の実施形態に係るｅＮＢ１２、１３と同様、図１３で示される。
【０１６７】
ＣＰＵ４４が、メモリ４１に記憶された各種情報を読み込み、プログラムを実行することにより、上述したＯＡＭ処理部２８、ＣＭＡＳ用メッセージ生成部３５の機能が実現される。
【０１６８】
また、ＣＰＵ４４が、ネットワークインタフェース回路４２Ａを介して取得した更新要求に対し処理を実行することにより、ＩＰパケット処理部２７の機能が実現される。
【０１６９】
その他の機能の実現については上記実施形態の場合と同様であるため、説明を省略する。
【０１７０】
本実施形態の一例に係る配信システム３によれば、第１の識別子と第２のメッセージとの実際の対応関係に変更があった場合において、多数のｅＮＢ１４が記憶する各対応情報を、少数の管理装置１５により一括して更新することができる。このため、対応関係の変更を多数のｅＮＢ１４の各々が保持する対応情報に迅速に反映させることができ、緊急事態の発生が急に起こった場合などにも配信装置（ｅＮＢ１４）から端末装置（ＵＥ）に適切なメッセージを配信することができる。
【０１７１】
（その他の実施形態）
（実施例１）
上記第１、２の実施形態に係る配信装置は、それぞれＥＴＷＳ用メッセージＩＤとＣＭＡＳ用メッセージとの対応関係に係る対応情報、ＣＭＡＳ用メッセージＩＤとＥＴＷＳ用メッセージとの対応関係に係る対応情報を保持していた。しかし配信装置はこれら２つの対応情報を記憶していてもよい。これにより、ＷＲＷＲメッセージが、ある時点においてはＥＴＷＳに対応するメッセージとなる場合で、別の時点ではＣＭＡＳに対応するメッセージとなるような場合において、配信装置は受信するＷＲＷＲメッセージに合わせ臨機応変に配下の端末装置に速報を配信できる。
【０１７２】
（実施例２）
上記実施形態に係るｅＮＢ１２、１３、１４は、対応関係を保持する。しかし、配信システム内に対応関係を保持しない従来の配信装置が存在する場合、ＷＲＷＲメッセージが対応するシステムに対応しない端末装置で緊急速報を取得できないものが出てきてしまう虞がある。このためＣＢＣ１０またはＭＭＥ１１は、配下の配信装置が対応情報を記憶するものであるか否かの情報を保持していてもよい。例えばあるＭＭＥ１１の配下の配信装置の１つが対応関係を有しない場合、当該ＭＭＥ１１はＣＢＣ１０にその旨を通知し、ＣＢＣ１０はこれに応じてそのＭＭＥ１１に対し複数のシステムの各々に対応するＷＲＷＲメッセージを送信してもよい。
【０１７３】
これにより、従来の配信装置と上述した実施形態の例に係る配信装置とを配信システム内に混在させることができ、配信装置に互換性を持たせることができる。
【０１７４】
（実施例３）
上記実施形態では、対応情報を保持し、第１の識別子から第２のメッセージを生成する役割をｅＮＢ１２、１３、１４が担っていた。ここでは、ＭＭＥ１１が、例えばＥＴＷＳ用メッセージＩＤとＣＭＡＳ用メッセージＩＤとの対応関係に係る情報を保持していてもよい。このような場合には、ＣＢＣ１０からのＷＲＷＲメッセージが１つのシステムに対応するもので、当該ＭＭＥ１１の配下に従来通りの配信装置が混在する場合においても、従来の配信装置には両方のシステムに対応するＷＲＷＲメッセージを送信できる。そして、これにより端末装置に対し緊急速報を行き渡らせることができる。
【０１７５】
上述の実施形態に関し、さらに以下の付記を開示する。
（付記１）
受信した書換用メッセージに付与されている第１の識別子を用いて第１のメッセージを生成する第１のメッセージ生成部と、
第１の識別子と第２のメッセージとの対応関係に基づいて前記書換用メッセージに付与されている第１の識別子に対応付けられる第２のメッセージを生成する第２のメッセージ生成部と、
を備える配信装置であって、
前記第１のメッセージと前記第２のメッセージとを１以上の端末装置に送信する、
ことを特徴とする配信装置。
（付記２）
前記第１のメッセージは地震津波警報システムに対応するメッセージであり、前記第２のメッセージは商用携帯警報システムに対応するメッセージであることを特徴とする付記１に記載の配信装置。
（付記３）
前記第１のメッセージは商用携帯警報システムに対応するメッセージであり、前記第２のメッセージは地震津波警報システムに対応するメッセージであることを特徴とする付記１に記載の配信装置。
（付記４）
前記配信装置は基地局であることを特徴とする付記１から３のいずれか1つに記載の配信装置。
（付記５）
サーバからの情報を受信する上位装置と、１以上の端末装置と通信可能な配信装置とを備える配信システムであって、
前記上位装置は、
前記サーバからの情報に基づいて書換用メッセージを作成し、該作成した書換用メッセージを前記配信装置に送信し、
前記配信装置は、
前記上位装置から受信した書換用メッセージに付与されている第１の識別子を用いて第１のメッセージを生成し、
第１の識別子と第２のメッセージとの対応関係に基づいて前記書換用メッセージに付与されている第１の識別子に対応付けられる第２のメッセージを生成し、
前記第１のメッセージと前記第２のメッセージとを前記１以上の端末装置に送信する、
ことを特徴とする配信システム。
（付記６）
前記配信システムは、さらに前記配信装置に接続される管理装置を備え、
前記管理装置は、
前記配信装置に対し前記対応関係を更新するよう指示し、
前記配信装置は、
前記管理装置からの指示に基づいて前記対応関係を更新し、
更新した対応関係に基づいて前記書換用メッセージに付与されている第１の識別子に対応付けられる第２のメッセージを生成する、
ことを特徴とする付記５に記載の配信システム。
（付記７）
前記第１のメッセージは地震津波警報システムに対応するメッセージであり、前記第２のメッセージは商用携帯警報システムに対応するメッセージであることを特徴とする付記５または６に記載の配信システム。
（付記８）
前記第１のメッセージは商用携帯警報システムに対応するメッセージであり、前記第２のメッセージは地震津波警報システムに対応するメッセージであることを特徴とする付記５または６に記載の配信システム。
（付記９）
前記配信装置は基地局であることを特徴とする付記５から８のいずれか1つに記載の配信システム。
（付記１０）
サーバからの情報を受信する上位装置と、１以上の端末装置と通信可能な配信装置とを備える配信システムにおいて実行される配信方法であって、
前記サーバからの情報に基づいて書換用メッセージを作成し、該作成した書換用メッセージを前記配信装置に送信する、
処理を上位装置が実行し、
前記上位装置から受信した書換用メッセージに付与されている第１の識別子に基づいて第１のメッセージを生成し、
第１の識別子と第２のメッセージとの対応関係に基づいて前記書換用メッセージに付与されている第１の識別子に対応付けられる第２のメッセージを生成し、
前記第１のメッセージと前記第２のメッセージとを前記１以上の端末装置に送信する、
処理を配信装置が実行することを特徴とする配信方法。
【符号の説明】
【０１７６】
１、２、３  配信システム
１０  ＣＢＣ
１１  ＭＭＥ
１２、１３、１４  ｅＮＢ
１５  管理装置
２０、２７、５４  ＩＰパケット処理部
２１、２５  Ｓ１ＡＰ処理部
２２、２６、２９  ＲＲＣ処理部
２３  Ｂａｓｅｂａｎｄ処理部
２４  ＲＦ処理部
２８、５３  ＯＡＭ処理部
３０  ＥＴＷＳ用メッセージ構築部
３１、３５  ＣＭＡＳ用メッセージ生成部
３２  ＳＩＢ生成部
３３  ＣＭＡＳ用メッセージ構築部
３４  ＥＴＷＳ用メッセージ生成部
４０、６１  プロセッサ
４１、６２  メモリ
４２Ａ、６３  ネットワークインタフェース回路
４２Ｂ  無線送受信回路
４３、６５  記憶装置
４４  ＣＰＵ
４５  ＤＳＰ
４６、６４  バス
５０  入力部
５１  記憶部
５２  更新処理部
６０  入力インタフェース
【図１】
2018182674.tif 000003
【図２】
2018182674.tif 000004
【図３】
2018182674.tif 000005
【図４】
2018182674.tif 000006
【図５】
2018182674.tif 000007
【図６】
2018182674.tif 000008
【図７】
2018182674.tif 000009
【図８】
2018182674.tif 000010
【図９】
2018182674.tif 000011
【図１０】
2018182674.tif 000012
【図１１】
2018182674.tif 000013
【図１２】
2018182674.tif 000014
【図１３】
2018182674.tif 000015
【図１４】
2018182674.tif 000016
【図１５】
2018182674.tif 000017
【図１６】
2018182674.tif 000018
【図１７】
2018182674.tif 000019
【図１８】
2018182674.tif 000020
【図１９】
2018182674.tif 000021
【図２０】
2018182674.tif 000022
【図２１】
2018182674.tif 000023
【図２２】
2018182674.tif 000024
【図２３】
2018182674.tif 000025
【図２４】
2018182674.tif 000026